(57)【要約】【課題】  ＣＤＦＤドライブ複合装置を具えたサーバーコンピュータの提供。【解決手段】  カートリッジ式ハードディスクスロットの後壁が第２信号雌コネクタを具え、サーバーコンピュータが更にＣＤＦＤドライブ複合装置を具え、それはカートリッジ式ハードディスクスロットに対応して挿入され、該ＣＤＦＤドライブ複合装置はＣＤドライブ、ＦＤドライブ信号コネクタを具えたＦＤドライブ、及び組合せフレームを具え、該組合せフレームはメインフレーム、二つのサイドフレーム及び第２雄コネクタを具え、サイドフレームにスライドレールが設けられてカートリッジ式ハードディスクスロットの滑り溝に対応してスライド自在に組み合わせ可能で、ＣＤドライブとＦＤドライブがメインフレームの上下二側に組付けられて複合機体とされ、且つＣＤドライブ信号コネクタとＦＤドライブ信号コネクタが整合され並びに電気的に第２雄コネクタに接続されている。【選択図】        図３
2006079583.tif 000002
【特許請求の範囲】
【請求項１】
サーバーコンピュータであり、該サーバーコンピュータは複数のカートリッジ式ハードディスクスロットを具え、各カートリッジ式ハードディスクスロットは二つの側壁、及び一つの後壁を具え、この二つの側壁はそれぞれ滑り溝を具え、且つ該後壁は第１信号雌コネクタを具えている、上記サーバーコンピュータにおいて、
少なくとも一つのカートリッジ式ハードディスクスロットの後壁が更に第２信号雌コネクタを具え、該サーバーコンピュータが更に少なくとも一つのＣＤＦＤドライブ複合装置を具え、それは上述の少なくとも一つのカートリッジ式ハードディスクスロットに挿入され、且つ該少なくとも一つのＣＤＦＤドライブ複合装置は、ＣＤドライブとＦＤドライブ、及び組合せフレームを具え、ＣＤドライブはＣＤドライブ信号コネクタを具え、ＦＤドライブはＦＤドライブ信号コネクタを具え、該組合せフレームはメインフレームと二つのサイドフレーム及び第２信号雄コネクタを具え、該二つのサイドフレームの外面にそれぞれスライドレールが設けられて相互に平行に保持され並びにそれぞれサーバーコンピュータの少なくとも一つのカートリッジ式ハードディスクスロットの二つの滑り溝内にスライド自在に組み合わされ、該ＣＤドライブと該ＦＤドライブはそれぞれ該組合せフレームのメインフレームの上下二側に組み合わされて複合機体を形成し、且つ該ＣＤドライブ信号コネクタと該ＦＤドライブ信号コネクタが整合され並びに第２信号雄コネクタに電気的に接続されたことを特徴とする、サーバーコンピュータ。
【請求項２】
請求項１記載のサーバーコンピュータにおいて、ＣＤドライブが薄型ＣＤドライブとされたことを特徴とする、サーバーコンピュータ。
【請求項３】
請求項１記載のサーバーコンピュータにおいて、少なくとも一つのカートリッジ式ハードディスクスロットが組付け面を具え、該組付け面が延伸エリアを具え、並びに該延伸エリアにストッパ片が垂直に枢設されたことを特徴とする、サーバーコンピュータ。
【請求項４】
請求項１記載のサーバーコンピュータにおいて、複数のカートリッジ式ハードディスクを更に具え、これらカートリッジ式ハードディスクが第１信号雌コネクタに対応する第１信号雄コネクタを具えたことを特徴とする、サーバーコンピュータ。
【発明の詳細な説明】
【技術分野】
【０００１】
本発明はサーバーコンピュータに係り、特にＣＤＦＤドライブ複合装置を具えたサーバーコンピュータに関する。
【背景技術】
【０００２】
サーバーコンピュータ（ｓｅｒｖｅｒ）は、各企業で使用され、その特徴は、複数のハードディスクが直列に接続されて同時使用可能とされ、データ保存容量とシステムの安定性が増されたことにある。
【０００３】
一般に、サーバーコンピュータはマシンルームに設置され、管理維持に便利とし土地利用効率を高めるために、そのサイズは規格化されている。データが爆発的に増加する時代にあって、ハードディスク容量の向上のほか、同一規格のサーバーコンピュータの単位空間中のハードディスク設置数量を増すことができれば、更に多くのデータ保存容量を提供でき、競争力を高めることができる。
【０００４】
しかし、サーバーコンピュータは一般のパーソナルコンピュータと同様に、ＣＤドライブ或いはＦＤドライブを利用してソフトウエアのインストール、バージョンアップ等の作業を行なっているが、ただし、その使用頻度は高くはない。このような重要ではあるが使用頻度の高くない作業のために、各サーバーコンピュータ中に一つのハードディスクと同じ空間が占用され、これは不経済である。
【発明の開示】
【発明が解決しようとする課題】
【０００５】
本発明の主要な目的は、一種のサーバーコンピュータを提供することにあり、それは、必要に応じてハードディスク或いはＣＤＦＤドライブ複合装置に交換でき、最大の空間利用効率を達成できるものとする。
【課題を解決するための手段】
【０００６】
請求項１の発明は、サーバーコンピュータであり、該サーバーコンピュータは複数のカートリッジ式ハードディスクスロットを具え、各カートリッジ式ハードディスクスロットは二つの側壁、及び一つの後壁を具え、この二つの側壁はそれぞれ滑り溝を具え、且つ該後壁は第１信号雌コネクタを具えている、上記サーバーコンピュータにおいて、
少なくとも一つのカートリッジ式ハードディスクスロットの後壁が更に第２信号雌コネクタを具え、該サーバーコンピュータが更に少なくとも一つのＣＤＦＤドライブ複合装置を具え、それは上述の少なくとも一つのカートリッジ式ハードディスクスロットに挿入され、且つ該少なくとも一つのＣＤＦＤドライブ複合装置は、ＣＤドライブとＦＤドライブ、及び組合せフレームを具え、ＣＤドライブはＣＤドライブ信号コネクタを具え、ＦＤドライブはＦＤドライブ信号コネクタを具え、該組合せフレームはメインフレームと二つのサイドフレーム及び第２信号雄コネクタを具え、該二つのサイドフレームの外面にそれぞれスライドレールが設けられて相互に平行に保持され並びにそれぞれサーバーコンピュータの少なくとも一つのカートリッジ式ハードディスクスロットの二つの滑り溝内にスライド自在に組み合わされ、該ＣＤドライブと該ＦＤドライブはそれぞれ該組合せフレームのメインフレームの上下二側に組み合わされて複合機体を形成し、且つ該ＣＤドライブ信号コネクタと該ＦＤドライブ信号コネクタが整合され並びに第２信号雄コネクタに電気的に接続されたことを特徴とする、サーバーコンピュータとしている。
請求項２の発明は、請求項１記載のサーバーコンピュータにおいて、ＣＤドライブが薄型ＣＤドライブとされたことを特徴とする、サーバーコンピュータとしている。
請求項３の発明は、請求項１記載のサーバーコンピュータにおいて、少なくとも一つのカートリッジ式ハードディスクスロットが組付け面を具え、該組付け面が延伸エリアを具え、並びに該延伸エリアにストッパ片が垂直に枢設されたことを特徴とする、サーバーコンピュータとしている。
請求項４の発明は、請求項１記載のサーバーコンピュータにおいて、複数のカートリッジ式ハードディスクを更に具え、これらカートリッジ式ハードディスクが第１信号雌コネクタに対応する第１信号雄コネクタを具えたことを特徴とする、サーバーコンピュータとしている。
【発明の効果】
【０００７】
本発明の提出するＣＤＦＤドライブ複合装置は、使用者が必要に応じてこの複合装置或いはハードディスクに交換して使用できるようにし、大部分の時間ハードディスクを使用するサーバーコンピュータの常態に符合し、必要な時にはこの複合装置に交換でき、最大の空間利用効率と選択使用の弾性を達成し、進歩性を有している。
【発明を実施するための最良の形態】
【０００８】
本発明のサーバーコンピュータは、複数のカートリッジ式ハードディスクスロットを具え、各カートリッジ式ハードディスクスロットは二つの側壁、及び一つの後壁を具え、この二つの側壁はそれぞれ滑り溝を具え、且つ該後壁は第１信号雌コネクタを具えている。本発明の特徴は以下のとおりである。即ち、少なくとも一つのカートリッジ式ハードディスクスロットの後壁が更に第２信号雌コネクタを具え、且つ該サーバーコンピュータが更に少なくとも一つのＣＤＦＤドライブ複合装置を具え、それは上述の少なくとも一つのカートリッジ式ハードディスクスロットに挿入され、且つ該少なくとも一つのＣＤＦＤドライブ複合装置は、ＣＤドライブとＦＤドライブ、及び組合せフレームを具え、ＣＤドライブはＣＤドライブ信号コネクタを具え、ＦＤドライブはＦＤドライブ信号コネクタを具え、該組合せフレームはメインフレームと二つのサイドフレーム及び第２信号雄コネクタを具え、該二つのサイドフレームの外面にそれぞれスライドレールが設けられて相互に平行に保持され並びにそれぞれサーバーコンピュータの少なくとも一つのカートリッジ式ハードディスクスロットの二つの滑り溝内にスライド自在に組み合わされ、該ＣＤドライブと該ＦＤドライブはそれぞれ該組合せフレームのメインフレームの上下二側に組み合わされて複合機体を形成し、且つ該ＣＤドライブ信号コネクタと該ＦＤドライブ信号コネクタが整合され並びに第２信号雄コネクタに電気的に接続されている。
【０００９】
言い換えると、本発明の提供するサーバーコンピュータは、薄型ＣＤドライブとＦＤドライブを整合させてなるカートリッジ式装置であり、使用者が必要に応じてデータ更新等の動作を行ないたい時、サーバーコンピュータ中の一つのカートリッジ式ハードディスクを抜き取りＣＤＦＤドライブ複合装置に交換することができ、データ更新終了時に、再度ＣＤＦＤドライブ複合装置を抜き取りカートリッジ式ハードディスクに交換することができ、一方でサーバー単位体積内のデータ保存容量を増しまたＣＤドライブ或いはＦＤドライブの使用の弾性を増し、また一方でハードウエア購入コストを減らし、これはＣＤＦＤドライブ複合装置は規格品として製造可能で，各サーバーコンピュータに配置する必要がなく，各サーバーコンピュータ間で抜き取って交換すればよいためである。
【実施例１】
【００１０】
図１は本発明の実施例の表示図である。図示されるように、本発明のサーバーコンピュータ１は、抜き取り平面１１を具えている。一般にサーバーコンピュータは複数のハードディスク１２が直列に接続されて使用され、各ハードディスク１２はカートリッジ式に設計され、交換できる。前述したように、周知のサーバーコンピュータはＣＤドライブ或いはＦＤドライブ或いはその両方を配備する必要があり、ある特定の必要がある時、例えばシステムリカバリーの作業を行なうのに供される。しかし、一般のコンピュータ使用者に周知のとおり、このようなリカバリーの確率は高くないにも関わらず、一つのハードディスク空間を占有する。このため本実施例はサーバーコンピュータの抜き取り平面１１の右上角のカートリッジ式ハードディスクスロットをＣＤＦＤドライブ複合装置／ハードディスク両用スロット１３となしている。図２は本発明の両用スロット１３の表示図である。該両用スロット１３は、二つの側壁１４、１５と一つの後壁１６を具え、二つの側壁１４、１５に滑り溝１４１、１５１が設けられ、該後壁１６にハードディスク信号雌コネクタ１６１とＣＤＦＤドライブ複合装置雌コネクタ１６２が設けられている。
【００１１】
図３は本発明の実施例のＣＤＦＤドライブ複合装置の表示図である。それは組合せフレーム２、薄型ＣＤドライブ３及びＦＤドライブ４を具えている。そのうち、組合せフレーム２はメインフレーム２０と、該メインフレーム２０の二側辺に組付けられた二つのサイドフレーム２１、２２を具え、各サイドフレーム２１、２２はスライドレール２１１、２２１を具え、並びに複数の結合機構２３を具えて該結合機構２３によりＣＤドライブ、ＦＤドライブと結合される。これら結合機構２３には特定の形式はなく、周知の任意の結合機構、例えば係止、螺合、嵌合等の機構とされる。二つのサイドフレーム２１、２２のスライドレール２１１、２２１は両用スロット１３の二側の滑り溝１４１、１５１に対応し組み合わされる（図２参照）、これによりＣＤＦＤドライブ複合装置が両用スロット１３中で順調に交換できる。当然、この両用スロット１３中の二側の滑り溝１４１、１５１はカートリッジ式ハードディスクに使用可能である。
【００１２】
薄型ＣＤドライブ３及びＦＤドライブ４はそれぞれその信号雄コネクタ（図示せず）を具えて信号を伝送する。サーバーコンピュータ中に、薄型ＣＤドライブ３及びＦＤドライブ４の信号雄コネクタをそれぞれ使用する設計であると、両用スロット１３中にそれぞれＣＤドライブ信号雌コネクタとＦＤドライブ信号雌コネクタを設置しなければならず、一旦ハードディスクに交換すると、両用スロット１３は更に別にハードディスク信号雌コネクタ１６１を設置してハードディスク信号雄コネクタに対応させなければならない。現在の設計では、ハードディスク信号雌コネクタ位置はＦＤドライブ信号雌コネクタの位置と衝突しうる。これにより、本発明は別に組合せフレーム２にあってＣＤＦＤドライブ複合装置雄コネクタ３１（図３）を設置し、それはＣＤドライブ信号雄コネクタとＦＤドライブ雄コネクタからの信号を整合させ、並びに両用スロット１３中にＣＤＦＤドライブ複合装置雌コネクタ１６２を設置し（図５）、これにより薄型ＣＤドライブとＦＤドライブの信号が同時に第１信号雄コネクタより出力されるようにする。ハードディスクに交換する時、ハードディスク信号雄コネクタは両用スロット中のハードディスク信号雌コネクタ１６１に接続され、こうして各信号雄コネクタの衝突の情況が防止される。
【００１３】
また図１に示されるように、現在、ＣＤドライブ３の幅は周知のハードディスク１２より僅かに大きいため、両用スロット１３の側壁１５にあって、ＣＤドライブ３に対応する位置に、凹溝１５２が設けられ、それはＣＤドライブ３を収容可能で、またＣＤドライブ３不使用の時の抜き取り平面１１の美観を維持するため、凹溝１５２の一側に垂直にストッパ片１５３が設けられ、このストッパ片１５３は回復バネ（図示せず）により該凹溝に連結され、これによりＣＤＦＤドライブ複合装置が挿入される時、ストッパ片１５３が内向きに回転し、ＣＤＦＤドライブ複合装置を不使用でハードディスク１２を挿入する時は、回復バネの作用によりもとの位置に回復し、抜き取り平面１１の凹溝１５２位置の視覚欠陥を補填する。
【００１４】
以上の実施例は本発明の範囲を限定するものではなく、上述の実施例及び図面の記載に基づきなしうる細部の修飾或いは改変は、いずれも本発明の請求範囲に属するものとする。
【図面の簡単な説明】
【００１５】
【図１】本発明の実施例の表示図である。
【図２】本発明の実施例の両用スロットの表示図である。
【図３】本発明の実施例のＣＤＦＤドライブ複合装置の表示図である。
【図４】本発明の実施例の雄コネクタと雌コネクタの対応表示図である。
【符号の説明】
【００１６】
１  サーバーコンピュータ        １１  抜き取り平面
１２  ハードディスク            １３  両用スロット
１４  側壁                      １４１  滑り溝
１５  側壁                      １５１  滑り溝
１５２  凹溝                    １５３  ストッパ片
１６  後壁                      １６１  ハードディスク信号雌コネクタ
１６２  ＣＤＦＤドライブ複合装置雌コネクタ
２  組合せフレーム              ２０  メインフレーム
２１  サイドフレーム            ２１１  スライドレール
２２  サイドフレーム            ２２１  スライドレール
２３  結合機構
３  ＣＤドライブ                ３１  第１信号雄コネクタ
４  ＦＤドライブ
【図１】
2006079583.tif 000003
【図２】
2006079583.tif 000004
【図３】
2006079583.tif 000005
【図４】
2006079583.tif 000006